(57)【要約】【課題】  容易に、然も安価にて上方から略垂直の状態で落下する硬貨の姿勢を略水平の状態に変更可能とする硬貨姿勢制御部材を備えた硬貨取扱装置を提供する。【解決手段】  前面に硬貨取出口５３を有する硬貨受入室５１に硬貨Ｃを排出する硬貨取扱装置４０において、硬貨受入室５１の奥部に設けられ、硬貨取出口５３方向に低く傾斜した案内板５６と、この案内板５６の側部上方に設けられ、側方に向けて低く傾斜した姿勢制御板５７とを備え、硬貨Ｃは、姿勢制御板５７の上方から略直立した状態で落とす。【選択図】図４
2005222276.tif 000002
【特許請求の範囲】
【請求項１】
前面に硬貨取出口を有する硬貨受入室に硬貨を排出する硬貨取扱装置において、
前記硬貨受入室の奥部に設けられ、前記硬貨取出口方向に低く傾斜した案内板と、
該案内板の側部上方に設けられ、側方に向けて低く傾斜した姿勢制御板とを備え、
前記硬貨は、前記姿勢制御板の上方から略直立した状態で落とされることを特徴とする硬貨取扱装置。
【請求項２】
前記姿勢制御板より前記硬貨取出口側の前記案内板上方に設けられ、当該案内板との間隔が前記硬貨の直径より狭い寸法とされた規制板を備えることを特徴とする請求項１の硬貨取扱装置。
【請求項３】
前記硬貨受入室の上面開口を閉塞するカバーを備え、
該カバーは、前記案内板の側部上方の前記姿勢制御板に対応する位置に切欠を有すると共に、前記規制板は前記カバー下面に取り付けられることを特徴とする請求項２の硬貨取扱装置。
【発明の詳細な説明】
【技術分野】
【０００１】
本発明は、硬貨取出口から硬貨を排出する硬貨取扱装置に関し、特に、硬貨の排出に伴い、当該硬貨が硬貨取出口から飛び出す不都合を抑制する機構を備えた硬貨取扱装置に関するものである。
【背景技術】
【０００２】
従来より、硬貨取出口から硬貨を排出する硬貨取扱装置には、内部に設けられる無端ベルト等を走行させることにより、該無端ベルト上に落下した硬貨を硬貨取出口に搬送するものや、特許文献１に記載される紙幣取扱装置に用いられる如く異物として収容された硬貨を傾斜して設けられた傾斜板に立てて転がし硬貨取出口に搬送するものがある。
【０００３】
しかしながら、上述の如き構成では、硬貨を硬貨取出口に排出する際に、当該硬貨が硬貨取出口から飛び出す不都合があった。
【０００４】
そこで、排出された硬貨の飛び出しを抑制するために、硬貨が上方から略垂直の状態で落下する硬貨排出経路中に、当該硬貨排出経路内に突出するように湾曲形状とされた樹脂製の硬貨姿勢制御部材を設けた硬貨取扱装置が開発されている。
【０００５】
係る硬貨取扱装置によれば、上方から略垂直の状態で落下する硬貨の下端が、硬貨姿勢制御部材の湾曲形状部分に当接することで、当該硬貨の落下による衝撃を緩衝することが可能となると共に、当該硬貨の下端が湾曲部に沿って落下することで、硬貨が略水平の状態となる。これにより、硬貨を硬貨取出口において略伏臥した状態で排出することが可能となるため、当該硬貨が、硬貨取出口から飛び出す不都合を解消することができる。
【特許文献１】特開平８−２０２９２２号公報
【発明の開示】
【発明が解決しようとする課題】
【０００６】
しかしながら、上述した如き硬貨姿勢制御部材は、樹脂により構成されていることから、加工構造が複雑となり、生産コストが高騰する問題があった。そのため、樹脂による加工を行うことなく、容易に、然も安価にて上方から略垂直の状態で落下する硬貨の姿勢を略水平の状態に変更可能とする硬貨姿勢制御部材を備えた硬貨取扱装置の開発が望まれていた。
【課題を解決するための手段】
【０００７】
本発明の硬貨取扱装置は、前面に硬貨取出口を有する硬貨受入室に硬貨を排出するものであって、硬貨受入室の奥部に設けられ、硬貨取出口方向に低く傾斜した案内板と、該案内板の側部上方に設けられ、側方に向けて低く傾斜した姿勢制御板とを備え、硬貨は、姿勢制御板の上方から略直立した状態で落とされるものである。
【０００８】
請求項２の発明の硬貨取扱装置は、上記発明において、姿勢制御板より硬貨取出口側の案内板上方に設けられ、当該案内板との間隔が硬貨の直径より狭い寸法とされた規制板を備えるものである。
【０００９】
請求項３の発明の硬貨取扱装置は、上記発明において、硬貨受入室の上面開口を閉塞するカバーを備え、該カバーは、案内板の側部上方の姿勢制御板に対応する位置に切欠を有すると共に、規制板はカバー下面に取り付けられるものである。
【発明の効果】
【００１０】
本発明によれば、前面に硬貨取出口を有する硬貨受入室に硬貨を排出する硬貨取扱装置において、硬貨受入室の奥部に設けられ、硬貨取出口方向に低く傾斜した案内板と、該案内板の側部上方に設けられ、側方に向けて低く傾斜した姿勢制御板とを備え、硬貨は、姿勢制御板の上方から略直立した状態で落とされるので、姿勢制御板に到達した硬貨は、当該姿勢制御板により略直立した状態から略伏臥した状態に姿勢が変換され、この略伏臥した状態で硬貨が案内板上に落下する。そして、硬貨は、案内板に沿って滑降し、硬貨受入室の前部に伏臥した状態で落下する。
【００１１】
これにより、硬貨を安定した状態で、硬貨受入室の前部に搬送することができ、確実な硬貨の排出を可能とすることができるようになる。そのため、硬貨の排出に伴う硬貨の硬貨取出口からの飛び出しを抑制することができ、利便性の向上を図ることができるようになる。
【００１２】
また、本発明によれば、硬貨を略直立した状態から略伏臥した状態に姿勢を変換する姿勢制御板及び案内板は、それぞれ板材を折曲することにより容易に形成することができることから、従来の如く樹脂により成型する場合に比して、著しく容易に加工することが可能となり、生産コストの低減を実現することができるようになる。
【００１３】
請求項２の発明によれば、上記発明において、姿勢制御板より硬貨取出口側の案内板上方に設けられ、当該案内板との間隔が硬貨の直径より狭い寸法とされた規制板を備えるので、姿勢制御板から案内板上に落下した際に、硬貨が略垂直した状態となった場合であっても、規制板により略垂直した状態での硬貨の通過が抑制され、該規制板によっても硬貨を略伏臥した状態に変換することができる。これによっても、硬貨を安定した状態で、硬貨受入室の前部に搬送することができ、確実な硬貨の排出を可能とすることができるようになる。また、当該規制板も上記姿勢制御板等と同様に、板材を折曲することにより容易に形成することができることから、著しく容易に加工することが可能となり、生産コストの低減を実現することができるようになる。
【００１４】
請求項３の発明によれば、上記発明において、硬貨受入室の上面開口を閉塞するカバーを備え、該カバーは、案内板の側部上方の姿勢制御板に対応する位置に切欠を有すると共に、規制板はカバー下面に取り付けられるので、構造を簡素化することができるようになり、生産コストの低減を図ることができる。
【００１５】
また、カバーに形成される切欠を姿勢制御板が狭めるかたちとなることから、硬貨取出口から棒状のものを差し入れられて切欠から更に奥の機構が悪戯される不都合を防止することができるようになる。
【発明を実施するための最良の形態】
【００１６】
本発明は従来の技術的課題を解決するために成されたものであり、容易に、然も安価にて上方から略垂直の状態で落下する硬貨の姿勢を略水平の状態に変更可能とする硬貨姿勢制御部材を備えた硬貨取扱装置を提供する。以下、本発明の硬貨取扱装置を備えた荷物預かり装置１を実施例として説明する。図１は荷物預かり装置１の正面図を示している。本実施例の荷物預かり装置１は、本発明の硬貨取扱装置を備えたものであって、例えばコンビニエンスストア又はマンションの共同スペースなどに設置されるロッカーであり、宅配物の一時保管に用いられるものである。
【００１７】
荷物預かり装置１は、前面に開口を有する鋼板製の箱体により本体４が構成され、本実施例では、この本体４内には図示しない仕切板により、左右中央の３つに区画されると共に、向かって左側には、図示しない仕切板により上下に５段の収納室が形成され、上から順に小型収納室８、小型収納室９、小型収納室１０、小型収納室１１及び大型収納室１２が形成されている。また、中央には図示しない仕切板により上下に４段の収納室が形成され、上から順に中型収納室１３、中型収納室１４、中型収納室１５及び中型収納室１６が形成される。更に向かって右側には、図示しない仕切板により上下に３段の収納室が形成されると共に、上から順に中型収納室１７、中型収納室１８及び中型収納室１９が形成される。そして、中型収納室１７と中型収納室１８との間には、奥部に図示しない制御装置を備えたコントロールパネル２０が形成される。
【００１８】
尚、本実施例における荷物預かり装置１は、主に宅配業者から配達された荷物を一時的に保管し、受取人が該荷物預かり装置１から荷物を受け取り、自宅などに持ち帰るものであるため、容易に運搬が可能な寸法の荷物のみを収容可能とするものとする。
【００１９】
そして、これら小型収納室８、９、１０、１１の前面には、それぞれ鋼板製の開閉扉５が回動自在に設けられると共に、中型収納室１３、１４、１５、１６、１７、１８、１９の前面には、それぞれ鋼板製の開閉扉６が回動自在に設けられ、大型収納室１２の前面にも鋼板製の開閉扉７が回動自在に設けられる。これら開閉扉５、６、７は、それぞれ施錠機構を備えており、前記制御装置により、解錠及び施錠制御が行われるものとする。
【００２０】
これにより、収容する物品（本実施例では荷物）の大きさに応じて収容する収納室を選択することが可能となり、空間効率の向上を図ることができるようになる。
【００２１】
次に、前記コントロールパネル２０について説明する。このコントロールパネル２０には、所謂タッチパネル機能を有する操作案内パネル２９と、人感センサ３０と、バーコードリーダ３２と、レシート発行口３３と、詳細は後述する硬貨取扱装置を構成する硬貨投入口４１と、硬貨排出口４２と、硬貨返却ボタン４３が設けられている。また、当該コントロールパネル２０は、本体４に回動自在に設けられており、枢支側とは反対側の側部にコントロールパネル２０の施錠手段を構成する鍵穴３５が設けられている。
【００２２】
そして、このコントロールパネル２０の後方には、図示しない制御装置が設けられており、この制御装置には、前記操作案内パネル２９と、人感センサ３０と、バーコードリーダー３２と、前記扉５、６、７の施錠機構が接続されている。また、レシート発行口３３に発行したレシートを排出する図示しないレシート発行手段も制御装置に接続されている。
【００２３】
尚、本実施例における荷物預かり装置１は、当該荷物預かり装置１の管理会社に予め会員登録された会員宛の荷物の一時預かりを行うものであり、該荷物預かり装置１の制御装置は、当該管理会社のホストコンピュータなどと通信可能とされているものとする。また、当該荷物預かり装置１を使用する各会員には、予め二次元コードが付与されており、この二次元コードは、各会員の例えば携帯電話などの画面などに表示可能とされるものとする。更に、当該荷物預かり装置１を使用する宅配業者による宅配物には、一括して管理可能とするコード番号が付与されているものとする。
【００２４】
次に、本実施例の荷物預かり装置１に設けられる本発明の硬貨取扱装置について図２乃至図５を参照して説明する。図２は硬貨取扱装置の内部斜視図、図３は硬貨取扱装置の分解斜視図、図４は図２の内部透視説明図、図５は硬貨取扱装置の部分拡大断面図を示している。
【００２５】
本実施例の硬貨取扱装置は、硬貨投入口４１から投入された硬貨の選別、所定硬貨の収容、前記所定硬貨以外の硬貨の排出を行うものであり、鋼板製の本体５０と、硬貨受入部５２と、図示しない所定硬貨収容部と、硬貨選別手段としての図示しないコインメーカにより構成されている。本体５０は、図３に示す如く前面及び一側面が開放されており、底面前部が切り欠かれて形成されると共に、残部の底面後部の前端５０Ａは、下方に略垂直に折曲され、下面に前記所定硬貨収容部を取り付ける構成とされている。また、この底面後部には、所定硬貨収容部に連通する硬貨収容口５５が形成されている。
【００２６】
他方、本体５０の切り欠かれた底面前部には、前記硬貨受入部５２が設けられる。この硬貨受入部５２は、上面に開口すると共に内部に硬貨受入室５１を形成し、当該硬貨受入部５２の前面には、硬貨取出口５３が形成される。この硬貨取出口５３は、硬貨取扱装置がコントロールパネル２０の背面に取り付けられた際に、当該コントロールパネル２０に形成される硬貨取出口４２と合致する構成とされている。
【００２７】
また、この硬貨受入室５１内には、当該硬貨受入室５１の奥部において、硬貨取出口５３方向に低く傾斜した案内板５６が設けられる。この案内板５６は、鋼板性材料にて構成されており、後端には硬貨受入室５１の背面に当接する当接部５６Ａが形成され、所定角度にて折曲されることにより、前方に低く傾斜する傾斜部５６Ｂが形成される。更に、この傾斜部５６Ｂの前端は、略垂下するように折曲された後更に前方に略直角に折曲される水平部５６Ｃとされる。そして、この水平部５６Ｃの前端は、図５に示す如く硬貨取出口５３の下端に向かって高く傾斜する導出部５６Ｄが形成されている。
【００２８】
一方、この硬貨受入室５１の傾斜部５６Ｂの側部上方に対応する位置、即ち前記底面後部の前端５０Ａの前方に位置の本体５０の下端には、姿勢制御板５７が設けられる。この姿勢制御板５７は、上記案内板５６と同様に鋼板性材料にて構成されており、下端が側方、即ち案内板５６の略中央に向けて低く傾斜するように折曲形成され、上部は、本体５０の硬貨受入部５２とは反対側の面に当接した状態で固定される。これにより、本体５０に硬貨受入部５２を取り付けた状態で、姿勢制御板５７の下部が硬貨受入室５１内に突出する構成とされる。
【００２９】
また、本実施例の硬貨受入部５２の上面開口は、カバー５８により閉塞される。当該カバー５８は、両側部にフランジ５８Ａ、５８Ｂが形成される鋼板性材料により構成されており、本体５０側に当接するフランジ５８Ａは、上方に略直角に折曲されることにより形成され、他側のフランジ５８Ｂは、下方に略直角に折曲されることにより形成される。そして、当該カバー５８が、硬貨受入部５２に取り付けられた際に、前記姿勢制御板５７に対応する位置には、フランジ５８Ａが形成されていないと共に、当該対応箇所には、該姿勢制御板５７を回避する切欠５９が形成されている。
【００３０】
また、このカバー５８の下面には、前記姿勢制御板５７を回避した位置であって、案内板５６の傾斜部５６Ｂの上方に位置して規制板６０が設けられる。この規制板６０は、鋼板性材料にて構成されており、後端が所定角度にて後方に低く形成された規制部６０Ａが形成されている。このとき、規制部６０Ａは、下端と、案内板５６の傾斜部５６Ｂとの間隔が本硬貨取扱装置にて取り扱われる硬貨Ｃ又は、これ以外の硬貨Ｃの直径より狭い寸法となるように構成されているものとする。
【００３１】
一方、姿勢制御板５７の上方に位置する本体５０には、上方から降下する硬貨Ｃを円滑に姿勢制御板５７に導く硬貨ガイド部材６１が設けられている。当該硬貨ガイド部材６１は、鋼板性材料を折曲することにより下方に行くに従って本体５０との間隔が狭くなる先細り形状とされている。そして、この硬貨ガイド部材６１の上方に位置する本体５０には、前記コインメーカが取り付けられる。
【００３２】
このコインメーカは、上述した如く図２乃至図５では図示しない硬貨投入口４１より本体５０内に投入された硬貨が、所定の硬貨、例えば本実施例の荷物預かり装置１におけるサービスの代償としての金銭の額の硬貨、本実施例では、１００円硬貨であるか否かを識別可能とするものであり、正貨とみなされ、且つ、サービスの代償としての金銭の額の硬貨Ｃのみを硬貨収容口５５に導出し、前記所定硬貨収容部に収容する。他方、コインメーカは、１００円硬貨以外の流通硬貨、又は、流通硬貨以外の偽貨、若しくは、１００円硬貨であってサービスの代償としての金銭の額を超える硬貨Ｃは、排出硬貨とみなし、当該排出硬貨Ｃを硬貨ガイド部材６１に導出し、姿勢制御板５７を介して硬貨受入室５１に排出するものである。
【００３３】
以上の構成により、硬貨投入口４１より本体５０内に投入された硬貨は、先ず、前記コインメーカにおいて、正貨であるか否かを識別する。このとき、当該コインメーカは前記制御装置に接続されており、コインメーカに進入した硬貨Ｃが、本実施例の荷物預かり装置１におけるサービスの代償としての金銭の額の硬貨である場合には、当該コインメーカの図示しない正貨導出口より当該硬貨Ｃを排出し、硬貨収容口５５を介して所定硬貨収容部に収容する。そして、当該コインメーカはサービスの代償としての金銭の額の硬貨を受領したことを制御装置に出力する。
【００３４】
他方、コインメーカに進入した硬貨Ｃが、正貨でない場合、即ち偽貨、若しくは、本実施例の荷物預かり装置１におけるサービスの代償としての金銭の額を越えた分の硬貨である場合には、当該コインメーカの図示しない排出口より当該硬貨Ｃを排出する。このとき、コインメーカから排出される硬貨Ｃは、略直立した状態で落とされる。当該排出口より排出された硬貨Ｃは、硬貨ガイド部材６１に収容され、当該硬貨ガイド部材６１において、円滑に姿勢制御板５７に導出される。
【００３５】
そして、姿勢制御板５７に当接した硬貨Ｃは、当接した際には、略直立状態とされているが、当該姿勢制御板５７は下端が側方に向けて低く傾斜するように折曲形成されていることから、硬貨Ｃが姿勢制御板５７を滑降する間に、硬貨Ｃは当該姿勢制御板５７によって略伏臥状態に姿勢が変換される。
【００３６】
このとき、姿勢制御板５７の下部は、硬貨受入室５１内に突出する構成とされていることから、略伏臥状態に姿勢が変換された硬貨Ｃは、円滑に硬貨受入室５１の奥部に導出される。尚、本実施例では、硬貨受入室５１の上面開口には、カバー５８が設けられているが、当該カバー５８には、姿勢制御板５７が対応する位置に切欠５９が形成されていることから、カバー５８によって、硬貨Ｃの導出に影響しない。
【００３７】
そして、硬貨受入室５１の奥部に導出された硬貨Ｃは、硬貨受入室５１内に設けられた案内板５６上に略伏臥状態で落下する。このとき、案内板５６には、前方に低く傾斜する傾斜部５６Ｂが形成されていることから、当該傾斜部５６Ｂに沿って硬貨Ｃは、前方に滑降し、水平部５６Ｃに略伏臥状態で停止する。
【００３８】
これにより、硬貨Ｃを略伏臥状態という安定した状態で、硬貨受入室５１の前部、即ち案内板５６の水平部５６Ｃに搬送することができ、確実な硬貨Ｃの排出を可能とすることができるようになる。そのため、硬貨Ｃの排出に伴う硬貨Ｃの硬貨取出口４２からの飛び出しを抑制することができ、利便性の向上を図ることができるようになる。
【００３９】
また、硬貨を略直立した状態から略伏臥した状態に姿勢を変換する姿勢制御板５７及び案内板５６は、それぞれ板材を折曲することにより容易に形成することができることから、従来の如く樹脂により成型する場合に比して、著しく容易に加工することが可能となり、コストの低減を実現することができる。
【００４０】
尚、硬貨受入室５１の奥部に導出された硬貨Ｃが、案内板５６上に落下した際に、当該落下による衝撃により略直立状態に姿勢が変換された場合であっても、カバー５８の下面には、案内板５６の傾斜部５６Ｂとの間隔を硬貨Ｃの直径より狭い寸法とする規制板６１が設けられているため、この規制板６１により略垂直した状態での硬貨Ｃの通過が抑制することが可能となり、この規制板６１によっても硬貨Ｃを略伏臥した状態に変換することができるようになる。
【００４１】
そのため、より一層、硬貨Ｃを安定した状態で、案内板５６の水平部５６Ｃに搬送することが可能となり、確実な硬貨の排出を可能とすることができる。また、当該規制板６１も姿勢制御板５７等と同様に、板材を折曲することにより容易に形成することができることから、著しく容易に加工することが可能となり、コストの低減を実現することができるようになる。また、規制板６１は、カバー５８の下面に取り付けられていることから、構造を簡素化することができ、生産コストの低減を図ることができる。
【００４２】
尚、本実施例では、上述した如く硬貨受入室５１の上面開口を閉塞するカバー５８が設けられ、このカバー５８には、姿勢制御板５７が挿入される切欠５９が形成され、当該切欠５９は姿勢制御板５９により狭められるかたちとされていることから、硬貨取出口４２から棒状のものを差し入れられた場合であって、切欠５９から更に奥に当該棒状のものを差し入れることが困難となり、奥の機構、例えばコインメーカ等が悪戯される不都合を防止することができる。
【００４３】
次に、本実施例の荷物預かり装置１の動作について説明する。まず初めに、上述した如き会員宛の宅配物を宅配する業者は、会員の携帯電話などにメールなどの連絡手段により宅配物があることを連絡する。これに対し、会員は宅配住所宛への宅配若しくは、荷物預かり装置１への保管を指示する。
【００４４】
荷物預かり装置１への保管を指示された業者は、荷物預かり装置１のコントロールパネル２０前に移動する。これにより、コントロールパネル２０に設けられた人感センサ３０の検知により、操作案内パネル２９の画面が初期画面に切り換えられる。業者は、当該初期画面とされる操作案内パネル２９の画面を操作し、宅配物の収納を行うことを入力する。
【００４５】
その後、操作案内パネル２９の操作案内に従い、荷物預かり装置１に収納する宅配物に付与されたコード番号をバーコードリーダー３２、若しくは、操作案内パネル２９に入力する。ここで、荷物預かり装置１の制御装置は、管理会社のホストコンピュータと通信接続されていることから、荷物預かり装置１より宅配物のコード番号が入力されることで、ホストコンピュータは、当該宅配物の大きさ、宅配先の会員名及び当該会員の二次元コードが呼び出す。そして、ホストコンピュータにより、宅配物の大きさが荷物預かり装置１の制御装置に出力され、該制御装置は、当該宅配物の大きさに適応する収容室の開閉扉５、６又は７の施錠機構を開放し、当該開放された収容室の番号を操作案内パネル２９に表示する。
【００４６】
そして、宅配業者は、操作案内パネル２９に表示された番号の収容室の開閉扉を開放し、宅配物を収納する。宅配物の収納後、当該収容室の開閉扉を閉鎖することにより、当該開閉扉は施錠される。そして、制御装置は、レシート発行手段により収容した宅配先の会員名、宅配物のコード番号、収容した収容室、収容時刻、収容者名などが記載されたレシートを発行し、レシート発行口３３に排出する。これにより、宅配業者により、宅配物が荷物預かり装置１に保管されることとなる。
【００４７】
尚、本実施例では、荷物預かり装置１の制御装置は、ホストコンピュータにより、宅配物の大きさの情報と共に、宅配先の会員名及び会員の二次元コードの情報を認識し、記憶しているものとする。
【００４８】
宅配物の受取を行う会員は、まず、荷物預かり装置１のコントロールパネル２０前に移動する。これにより、コントロールパネル２０に設けられた人感センサ３０の検知により、操作案内パネル２９の画面が初期画面に切り換えられる。会員は、当該初期画面とされる操作案内パネル２９の画面を操作し、宅配物の受取を行うことを入力する。
【００４９】
その後、操作案内パネル２９の操作案内に従い、会員は、該会員の携帯電話などの表示画面に、予め付与された二次元コードを表示し、荷物預かり装置１に設けられたバーコードリーダー３２に、認識させる。
【００５０】
これにより、荷物預かり装置１の制御装置は、会員を特定することにより、当該荷物預かり装置１に当該会員の宅配物が保管されているか否かを判断する。そして、当該会員の宅配物が保管されている場合には、当該宅配物が保管されている収容室の番号を操作案内パネル２９に表示すると共に、所定の金銭の額に相当する硬貨の投入を指示する。
【００５１】
そして、会員は、所定の硬貨Ｃを硬貨投入口４１より投入する。尚、正貨、偽貨を問わず硬貨投入口４１に投入された硬貨Ｃの動作の詳細は上述しているため説明を省略する。そして、これにより、制御装置は、前記コインメーカの出力により所定の硬貨Ｃが投入されたことを認識した後、当該収納室の開閉扉の施錠機構を開放する。これにより、会員は、操作案内パネルに表示された番号の収容室の開閉扉を開放することで、当該会員宛の宅配物を受け取ることが可能となる。
【００５２】
これにより、会員が宅配先の住所にいない場合であっても、一時的に荷物預かり装置１に宅配物を預けておくことが可能となり、利便性が向上する。
【図面の簡単な説明】
【００５３】
【図１】荷物預かり装置の正面図である。
【図２】硬貨取扱装置の内部斜視図である。
【図３】硬貨取扱装置の分解斜視図である。
【図４】図２の内部透視説明図である。
【図５】硬貨取扱装置の部分拡大断面図である。
【符号の説明】
【００５４】
１    荷物預かり装置
４    本体
５、６、７  開閉扉
８、９、１０、１１  小型収納室
１２  大型収納室
１３、１４、１５、１６、１７、１８、１９  中型収納室
２０  コントロールパネル
２９  操作案内パネル
３２  バーコードリーダ
４１  硬貨投入口
４２  硬貨排出口
４３  硬貨返却ボタン
５０  本体
５０Ａ  前端
５１  硬貨受入室
５２  硬貨受入部
５３  硬貨取出口
５５  硬貨収容口
５６  案内板
５６Ａ  当接部
５６Ｂ  傾斜部
５６Ｃ  水平部
５６Ｄ  導出部
５７  姿勢制御板
５８  カバー
５８Ａ、５８Ｂ  フランジ
５９  切欠
６０  規制部材
６０Ａ  規制部
６１  硬貨ガイド部材
【図１】
2005222276.tif 000003
【図２】
2005222276.tif 000004
【図３】
2005222276.tif 000005
【図４】
2005222276.tif 000006
【図５】
2005222276.tif 000007